(57)【要約】【課題】  実装面積を縮小することが可能で、かつ小型化を図ることができるコネクタおよびそれを備えた電子機器を提供する。【解決手段】  上面に着脱部２６が設けられたコネクタ本体２４と、一端部２５ａ側がコネクタ本体２４の着脱部２６に配列され、他端部２５ｂ側がコネクタ本体２４の下面に配列された複数のコネクタリード２５と、を有している。複数のコネクタリード２５は、他端部２５ｂに、一部がコネクタ本体２４の下面から離間して突出する形状に折り曲げられた折曲部２７を有していて、折曲部２７の先端部分が配線基板２０の端子２０ａに接続される。コネクタリード２５の配列方向の間隔は半田によって短絡することなく接合することができない値に設定されていて、複数の折曲部２７はコネクタリード２５の配列方向に沿って千鳥配置されて、複数の折曲部２７の相互の間隔は、半田によって短絡することなく接合することができる値に設定されている。【選択図】        図６
2016178001.tif 000002
【特許請求の範囲】
【請求項１】
一端部側がコネクタ本体の一面に配列され、他端部側が前記コネクタ本体の他面に配列された複数のコネクタリードと、
を備え、
前記複数のコネクタリードの各々は、前記他端部に、一部が前記コネクタ本体の前記他面から離間して突出する形状に折り曲げられて一部が配線基板の端子に接続される折曲部を有していることを特徴とするコネクタ。
【請求項２】
請求項１に記載のコネクタにおいて、
前記折曲部は、１つの頂点を有する山形、半円弧形、台形、四角形及びＺ字形の何れかの形状に形成されていることを特徴とするコネクタ。
【請求項３】
請求項１または請求項２に記載のコネクタにおいて、
前記複数のコネクタリードは、前記コネクタ本体の前記他面に、第１方向に沿って並べて配列され、
前記複数のコネクタリードにおける複数の前記折曲部は、前記コネクタ本体の前記他面上において、前記第１方向に沿って千鳥状に配置されていることを特徴とするコネクタ。
【請求項４】
請求項３に記載のコネクタにおいて、
互いに隣接する２つの前記コネクタリードの前記他端部側の長さは互いに異なっていることを特徴とするコネクタ。
【請求項５】
請求項３又は４に記載のコネクタにおいて、
前記複数のコネクタリードの前記第１方向の間隔は、半田によって短絡することなく接合することができない値に設定され、
前記複数の折曲部の相互の間隔は、半田によって短絡することなく接合することができる値に設定されていることを特徴とするコネクタ。
【請求項６】
請求項１〜請求項５のいずれかに記載されたコネクタを備えていることを特徴とする電子機器。
【請求項７】
請求項６に記載の電子機器において、
前記コネクタとして、前記コネクタ本体の前記一面に前記複数のコネクタリードが配列された雌型コネクタを有し、前記他面に複数の前記折曲部を有する第１コネクタと、前記コネクタ本体の前記一面に前記複数のコネクタリードが配列された雄型コネクタを有し、前記他面に複数の前記折曲部を有する第２コネクタと、を有し、
前記第１コネクタの前記複数の折曲部が接続された第１配線基板と、前記第２コネクタの前記複数の折曲部が接続された第２配線基板と、を有し、
前記第１コネクタの前記雌型コネクタと前記第２コネクタの前記雄型コネクタとが嵌合して、前記第１配線基板と前記第２配線基板とが電気的に接続されていることを特徴とする電子機器。
【発明の詳細な説明】
【技術分野】
【０００１】
この発明は、携帯型の情報端末機などの電子機器に用いられるコネクタおよびそれを備えた電子機器に関する。
【背景技術】
【０００２】
例えば、コネクタにおいては、特許文献１に記載されているように、コネクタ本体に複数のコネクタリードを所定間隔で配列させた状態でコネクタ本体の表裏面に露出させた構成のものが知られている。
【先行技術文献】
【特許文献】
【０００３】
【特許文献１】特開２００６−２８６５３０号公報
【０００４】
この種のコネクタは、コネクタ本体の表面側が雌型コネクタ部と雄型コネクタ部との一方に形成され、コネクタ本体の裏面側の両側から複数のコネクタリードの各端子が外側に突出して設けられた構成になっている。この場合、コネクタ本体の裏面側の両側から突出した複数の端子は、その突出長さが配列方向に沿って交互に異なると共に、表裏面方向に重なり合わないように千鳥状に配列された構成になっている。
【発明の概要】
【発明が解決しようとする課題】
【０００５】
しかしながら、このようなコネクタでは、複数のコネクタリードの各端子がコネクタ本体の両側から外側に突出して設けられた構成となっているため、配線基板への実装に要する面積がコネクタ本体より大きくなってしまうという問題がある。
【０００６】
また、このコネクタでは、複数のコネクタリードの各端子の間隔を半田によって配線基板に短絡することなく接続できる間隔とする必要があるため、複数のコネクタリードの間隔を半田によって短絡することなく接続可能な間隔よりも狭くすることができず、コネクタ全体の大きさを小さくすることができないという問題もある。
【０００７】
この発明が解決しようとする課題は、実装面積を縮小することできるとともに、小型化を図ることができるコネクタおよびそれを備えた電子機器を提供することである。
【課題を解決するための手段】
【０００８】
この発明は、一端部側がコネクタ本体の一面に配列され、他端部側が前記コネクタ本体の他面に配列された複数のコネクタリードと、を備え、前記複数のコネクタリードの各々は、前記他端部に、一部が前記コネクタ本体の前記他面から離間して突出する形状に折り曲げられて一部が配線基板の端子に接続される折曲部を有していることを特徴とするコネクタである。
【発明の効果】
【０００９】
この発明によれば、複数のコネクタリードのそれぞれの他端部に設けられた折曲部によって、実装面積を縮小することができると共に、コネクタの小型化を図ることができる。
【図面の簡単な説明】
【００１０】
【図１】この発明を腕時計型の電子機器に適用した一実施形態を示した斜視図である。
【図２】図１に示された電子機器の回路構成を示したブロック部である。
【図３】図２に示されたブロック図の回路構成において、回路基板と表示部との接続構造を示した図である。
【図４】図３に示された回路基板と表示部との接続構造のＡ−Ａ矢視における要部の拡大断面図である。
【図５】図４に示された雌型コネクタを示し、（ａ）はその上面側を示した拡大斜視図、（ｂ）はその下面側を示した拡大斜視図である。
【図６】図５に示された雌型コネクタを示し、（ａ）はその拡大下面図、（ｂ）はそのＢ−Ｂ矢視における拡大断面図である。
【図７】図３に示された配線基板における雌型コネクタの搭載領域を示した拡大平面図である。
【図８】図３に示された雄型コネクタを示し、（ａ）はその上面側を示した拡大斜視図、（ｂ）はその下面側を示した拡大斜視図である。
【図９】この発明を適用した電子機器の一例としての電話機能を有する携帯情報端末機の斜視図である。
【発明を実施するための形態】
【００１１】
以下、図１〜図８を参照して、この発明を電子機器に適用した場合の一実施形態について説明する。
この電子機器は、図１に示すように、腕時計型の携帯情報端末機であり、機器ケース１を備えている。この機器ケース１は、機器ケース１に設けられたバンドＢによって腕に取り付けられるように構成されている。
【００１２】
また、この機器ケース１は、図１に示すように、表示部２、入力操作部３、出力部４を備えている。表示部２は、液晶表示パネルやＥＬ（エレクトロ・ルミネッセンス）表示パネルなどの平面型の表示パネルであり、機器ケース１内に設けられ、各種の情報を電気光学的に表示するように構成されている。
【００１３】
入力操作部３は、機器ケース１に設けられ、押圧操作によってモードなどの機能を切り替える押釦スイッチ３ａや、表示部２の表面に設けられ、タッチ操作によって表示部２の表示状態を切り替えるタッチパネル３ｂなどである。出力部４は、音声などの音を発生するスピーカや、警報音を発生するブザーなどである。
【００１４】
この電子機器の回路構成は、図２に示すように、装置の全体的な制御を行う制御部５と、制御データや制御プログラムが格納されたＲＯＭ(リード・オンリー・メモリ)および制御部５のＣＰＵ（中央演算処理装置）に作業用のメモリ空間を提供するＲAM（ランダム・アクセ・メモリ)などを有するメモリ部６と、外部機器との間で通信を行う通信用のインターフェイスである通信Ｉ／Ｆ部７と、各種の情報を検出するセンサ部８、人工衛星との間で通信を行って位置情報を算出するＧＰＳ部（グローバル・ポジショニング・システム部）９と、を備えているほか、前述した表示部２、入力操作部３、出力部４を備えている。
【００１５】
また、この電子機器は、図３に示すように、回路基板１０を備えている。この回路基板１０には、制御部５のCPU１１、メモリ部６のメモリ回路１２、および通信Ｉ／F部７の通信Ｉ／F回路１３が搭載されている。また、この回路基板１０には、入力操作部３の押釦スイッチ３ａ、入力操作部３のタッチパネル３ｂ、出力部４のスピーカ・ブザー１４、ＧＰＳ部９のＧＰＳ受信回路１５、およびセンサ部８のセンサ回路１６がそれぞれ電気的に接続されている。
【００１６】
さらに、この回路基板１０には、図３に示すように、表示部２がフレキシブルな配線基板２０によって電気的に接続されている。この場合、フレキシブルな配線基板２０は、屈曲自在なフィルムに複数の配線が設けられたものであり、その一端部が表示部２に電気的に接続されている。この配線基板２０の他端部には、雌型コネクタ２１が電気的に接続された状態で実装されている。また、回路基板１０には、配線基板２０の雌型コネクタ２１が電気的に接続される雄型コネクタ２２が実装されている。
【００１７】
これにより、回路基板１０と表示部２とは、図３に示すように、回路基板１０の雄型コネクタ２２と配線基板２０の雌型コネクタ２１とが電気的に接続されることにより、フレキシブルな配線基板２０によって電気的に接続されるように構成されている。この場合、配線基板２０には、表示部２を駆動するドライブＩＣ２３が実装されている。
【００１８】
ところで、配線基板２０に実装された雌型コネクタ２１は、図４および図５に示すように、配線基板２０上に配置されるコネクタ本体２４と、このコネクタ本体２４に設けられて配線基板２０と電気的に接続される複数のコネクタリード２５と、を備えている。コネクタ本体２４は、絶縁性を有する硬質の合成樹脂によってほぼ四角形の板状に形成されている。
【００１９】
このコネクタ本体２４の一面である上面（図５（ａ）では表面）には、図４および図５（ａ）に示すように、雄型コネクタ２２が着脱可能に装着される着脱部２６が設けられている。この着脱部２６は、コネクタ本体２４の外周を除いて、そのほぼ全域に亘って設けられた凹部２６ａと、この凹部２６ａの外周にその上方に突出して設けられた外枠部２６ｂと、この外枠部２６ｂの内側に所定間隔離れた状態で外枠部２６ｂよりも低い高さで設けられた内枠部２６ｃと、を有している。
【００２０】
この場合、着脱部２６の内枠部２６ｃ内には、図４および図５（ａ）に示すように、仕切部２６ｄが設けられている。これにより、コネクタ本体２４の上面に設けられた着脱部２６には、内枠部２６ｃ内に長方形状の２つの凹部２６ｅが仕切部２６ｄによって設けられている。また、このコネクタ本体２６の他面である下面（図５（ｂ）では表面）は、平坦面に形成されている。
【００２１】
複数のコネクタリード２５は、図４〜図６に示すように、銅などの導電性を有する細長い金属製の帯板をそれぞれ所定形状に折り曲げたものであり、コネクタ本体２４の上下面に露呈した状態で、所定間隔Ｓ１、例えば０，１ｍｍピッチの間隔で配列され、配線基板２０に形成されている複数の端子２０ａに電気的に接続されるように構成されている。
【００２２】
これら複数のコネクタリード２５のそれぞれは、図４および図５に示すように、コネクタ本体２４の着脱部２６に設けられた２つの凹部２６ｅに各一端部２５ａ側が配置された状態で、２つの凹部２６ｅの仕切部２６ｄを境に２列で配列されている。すなわち、これら複数のコネクタリード２５の各一端部２５ａは、コネクタ本体２６の２つの凹部２６ｅ内にその内面に沿って凹形状に折り曲げられた状態で配列されている。
【００２３】
また、複数のコネクタリード２５の各他端部２５ｂは、図４および図５（ｂ）に示すように、コネクタ本体２６の下面（図５（ｂ）では表面）における両端部に導かれ、この両端部から２つの凹部２６ｅの仕切部２６ｄに対応する中間部に向けて凹部２６ｅの長手方向と直交する方向に延び、この状態で凹部２６ｅの長手方向に沿って配列されている。これにより、複数のコネクタリード２５は、コネクタ本体２６の２つの凹部２６ｅの仕切部２６ｄを境に相互に接触することなく、例えば２０個ずつ２列に配列されている。
【００２４】
この場合、コネクタ本体２４の下面に配列された複数のコネクタリード２５の各他端部２５ｂは、図５（ｂ）および図６（ａ）に示すように、その配列方向（図６（ａ）では上下方向である矢印Ｙ方向）に対して直交する方向（図６（ａ）では左右方向である矢印Ｘ方向）に延びる長さが隣接するコネクタリード２５間で互いに異なっており、この延びる長さが互いに異なる互いに隣接した４つのコネクタリード２５が配列方向（矢印Ｙ方向）に交互に配列されている。
【００２５】
更に、これら複数のコネクタリード２５の各他端部２５ｂの延在方向の先端側には、図４〜図６に示すように、例えば１つの頂点を有する山形に折り曲げられて、一部がコネクタ本体２４の下面から離間して、下側に向けて突出する折曲部２７が設けられている。そして、複数のコネクタリード２５の各他端部２５ｂに設けられている複数の折曲部２７は、複数のコネクタリード２５の配列方向（矢印Ｙ方向）に対して直交する方向（矢印Ｘ方向）において、隣接するコネクタリード２５間で互いに位置が異なっている。
【００２６】
複数のコネクタリード２５の各折曲部２７は、図６（ａ）に示すように、複数のコネクタリード２５の配列方向（矢印Ｙ方向）に沿って、全体として千鳥状に配置されており、複数のコネクタリード２５の配列方向（矢印Ｙ方向）に対して直交する方向（矢印Ｘ方向）における間隔Ｓ３は、半田により短絡することなく接続可能な間隔、例えば０．４ｍｍピッチの間隔に設定されている。ここで、複数の折曲部２７の、複数のコネクタリード２５の配列方向（矢印Ｙ方向）における間隔Ｓ２は、複数のコネクタリード２５の配列間隔Ｓ１と同じ、例えば０，１ｍｍピッチの間隔で形成されている。
【００２７】
すなわち、複数のコネクタリード２５の配列方向（矢印Ｙ方向）に隣接する各折曲部２７の間隔は、複数のコネクタリード２５の配列間隔Ｓ１の４倍であり、例えば０，４ｍｍとなっている。また、複数のコネクタリード２５の配列方向（矢印Ｙ方向）に対して直交する方向（矢印Ｘ方向）に最も近接する２つの折曲部２７の矢印Ｘ方向の間隔Ｓ３は、例えば０．４ｍｍとなっていて、半田により短絡することなく接続可能な間隔となっている。
【００２８】
この場合、矢印Ｘ方向に最も近接する２つの折曲部２７は、矢印Ｙ方向の位置が少なくとも間隔Ｓ２だけずれているため、この２つの折曲部２７間の直線距離は間隔Ｓ３より大きくなっている。したがって、矢印Ｙ方向に沿って千鳥状に配置されている複数の折曲部２７の相互の間隔は、半田により短絡することなく接続可能な間隔となっている。
【００２９】
これにより、雌型コネクタ２１における複数のコネクタリード２５は、図６（ａ）に示すように、１列ごとに２０個配列されていることにより、その配列方向（矢印Ｙ方向）における配列長さＬ１が約１．９ｍｍ（０．１ｍｍ×１９）に形成されている。これに伴ってコネクタ本体２４は、複数のコネクタリード２５の配列方向（矢印Ｙ方向）の長さＬ２が、例えば３．３２ｍｍに形成されている。
【００３０】
また、複数のコネクタリード２５の各他端部２５ｂは、図６（ａ）に示すように、その各折曲部２７が、複数のコネクタリード２５の配列方向（矢印Ｙ方向）に対して直交する方向（矢印Ｘ方向）に８個ずつ配列されていることにより、その矢印Ｘ方向における配列長さＬ３が、例えば２．８ｍｍ（０．４ｍｍ×７）の長さに形成されている。
【００３１】
雌型コネクタ２１が接続される配線基板２０には、図４および図７に示すように、複数のコネクタリード２５の各折曲部２７が半田２８によって接続される複数の端子２０ａが形成されている。すなわち、複数の端子２０ａは、それぞれ、コネクタ本体２５が対応する配線基板２０の接続領域内において複数のコネクタリード２５の各折曲部２７に対応した位置に配列されて形成されている。
【００３２】
すなわち、複数の端子２０ａは、図７に示すように、各折曲部２７の配置に対応して、複数のコネクタリード２５の配列方向（矢印Ｙ方向）に沿って、全体として千鳥状に配置されており、複数のコネクタリード２５の配列方向（矢印Ｙ方向）に隣接する各端子２０ａの間隔は、例えば０，４ｍｍとなっている。
【００３３】
また、複数のコネクタリード２５の配列方向（矢印Ｙ方向）に対して直交する方向（矢印Ｘ方向）に最も近接する２つの端子２０ａの矢印Ｘ方向の間隔は、例えば０．４ｍｍとなっていている。これにより、矢印Ｙ方向に沿って千鳥状に配置されている各端子２０ａの相互の間隔は、半田により短絡することなく接続可能な間隔となっている。
【００３４】
この配線基板２０には、図４に示すように、雌型コネクタ２１の複数のコネクタリード２５の各他端部２５ｂにそれぞれ設けられた複数の折曲部２７が、配線基板２０に形成された複数の端子２０ａに半田２８によって、電気的に接続された状態で、雌型コネクタ２１が半田接合されるように構成されている。
【００３５】
この場合、図４に示すように、コネクタ本体２４の下面から離間して下側に突出している複数の折曲部２７の、コネクタ本体２４の下面から最も大きく離間している先端部分、つまり、折曲部２７が１つの頂点を有する山形状である場合は、その頂点部分、が配線基板２０の複数の端子２０ａに接触した状態で、その先端部分が半田２８によって接合されるように構成されている。すなわち、折曲部２７における先端部分以外の部分は半田２８により接合されておらず、露出した状態となっている。
【００３６】
このため、例えば、配線基板２０に向けてコネクタ本体２４が押されたことによる応力が各折曲部２７に作用したり、配線基板２０とコネクタ本体２４の熱膨張率の違いによる応力が各折曲部２７に作用したりした際に、複数のコネクタリード２５の各折曲部２７が湾曲したり、押し広げられる方向（矢印Ｘ方向）に変形したりすることが可能であり、これにより、応力を緩和して、半田接合部分にクラックが入ったり、半田接合部分が剥がれたりすることを抑制することができるように構成されている。
【００３７】
一方、雄型コネクタ２２は、図８（ａ）および図８（ｂ）に示すように、コネクタ本体３０の上面の形状が雌型コネクタ２１のコネクタ本体２４と異なる構成であり、コネクタ本体３０は雌型コネクタ２１のコネクタ部２４の凹部２６ｅに嵌る凸型の形状を有しており、これ以外は雌型コネクタ２１とほぼ同じ構成になっている。この場合、雄型コネクタ２２のコネクタ本体３０には、雌型コネクタ２１と同様、その上下面に所定間隔Ｓ１、例えば０．１ｍｍピッチの間隔で配列された複数のコネクタリード３１が設けられている。
【００３８】
この雄型コネクタ２２のコネクタ本体３０は、図８（ａ）および図８（ｂ）に示すように、雌型コネクタ２１のコネクタ本体２４と同じ大きさの四角形の板状に形成されている。このコネクタ本体３０の上面（図８（ａ）では表面）には、雌型コネクタ２１の着脱部２６に着脱可能に装着する着脱部３２が設けられている。
【００３９】
この着脱部３２は、図８（ａ）に示すように、コネクタ本体３０の外周を除いて、ほぼ全域に亘って設けられた凹部３２ａと、この凹部３２ａ内に設けられた枠状部３２ｂと、を備えている。この場合、枠状部３２ｂは、図５および図８に示すように、その内周が雌型コネクタ２１の内枠部２６ｃの外周とほぼ同じ大きさで、雌型コネクタ２１の外枠部２６ｂと内枠部２６ｃとの間に着脱可能に挿入されるように構成されている。
【００４０】
また、この着脱部３２の枠状部３２ｂ内には、図８（ａ）に示すように、複数のコネクタリード３１の各一端部３１ａ側が上方に向けて突出した状態で、例えば２０個ずつ２列で配列されている。これら複数のコネクタリード３１の各一端部３１ａは、雌型コネクタ２１の２つの凹部２６ｅ内に挿入された状態で、雌型コネクタ２１の２つの凹部２６ｅ内に設けられた複数のコネクタリード２５における各一端部２５ａにそれぞれ接触して互いに導通するように構成されている。
【００４１】
この場合にも、コネクタ本体３０の下面に配列された複数のコネクタリード３１の各他端部３１ｂは、図８（ｂ）に示すように、雌型コネクタ２１の複数のコネクタリード２５の各他端部２７ｂと同様、同じ間隔Ｓ２で２列に配列されている。また、これら複数のコネクタリード３１の各他端部３１ｂにも、雌型コネクタ２１の折曲部２７と同様に、折曲部２７がそれぞれ設けられている。
【００４２】
また、この雄型コネクタ２２が接合される回路基板１０には、雌型コネクタ２１が接合される配線基板２０に設けられた複数の端子２０ａと同様に、複数の端子（図示せず）が設けられている。このため、雄型コネクタ２２は、雌型コネクタ２１と同様、複数のコネクタリード３１の各他端部３１ｂにそれぞれ設けられた複数の折曲部２７が、回路基板１０に配列された複数の端子に半田によって、電気的に接続された状態で、雄型コネクタ２２が半田接合されるように構成されている。
【００４３】
この場合にも、複数の折曲部２７は、雌型コネクタ２１と同様、コネクタ本体３０の下面から突出して、その先端部分が回路基板１０の複数の端子に接触した状態で、その先端部分だけが半田によって接合されるように構成されている。このため、例えば、回路基板１０に向けてコネクタ本体３０が押されたことによる応力が各折曲部２７に作用したり、配線基板１０とコネクタ本体３０の熱膨張率の違いによる応力が各折曲部２７に作用したりした際に、複数のコネクタリード３１の各折曲部２７が湾曲したり、押し広げられる方向に弾性変形したりすることか可能であり、これにより、応力を緩和して、半田接合部分にクラックが入ったり、半田接合部分が剥がれたりすることを抑制することができるように構成されている。
【００４４】
これにより、雌型コネクタ２１と雄型コネクタ２２とは、図５および図８に示すように、雌型コネクタ２１の着脱部２６における外枠部２６ｂと内枠部２６ｃとの間に雄型コネクタ２２の着脱部３２の枠状部３２ｂが嵌合すると共に、複数のコネクタリード２５、３１の各一端部２５ａ、３１ａが相互に係合して導通することにより、電気的に接続された状態で、着脱可能に装着するように構成されている。
【００４５】
次に、このような電子機器における雌型コネクタ２１と雄型コネクタ２２との作用について説明する。
まず、雌型コネクタ２１を製作する場合には、コネクタ本体２４を合成樹脂で射出成型する際に、複数のコネクタリード２５をインサート成型によってコネクタ本体２４と一体に形成する。この場合には、予め、複数のコネクタリード２５をプレスなどによる折り曲げ加工によって所定の形状に形成する。
【００４６】
すなわち、複数のコネクタリード２５の各一端部２５ａをコネクタ本体２４の着脱部２６における２つの凹部２６ｅの形状と同じ形状に折り曲げ、複数のコネクタリード２５の各他端部２５ｂをコネクタ本体２４の下面に配列するように折り曲げると共に、これら各他端部２５ｂにそれぞれ折曲部２７を形成する。
【００４７】
このときには、複数のコネクタリード２５の各折曲部２７を、図５および図６に示すように、複数のコネクタリード２５の配列方向（矢印Ｙ方向）に対して直交する方向（矢印Ｘ方向）における位置を、互いに隣接する４つのコネクタリード２５でそれぞれ異なる位置として、各折曲部２７が、矢印Ｙ方向に沿って、全体として千鳥状に配置されるように複数のコネクタリード２５を配列方向（矢印Ｙ方向）に沿って配列する。
【００４８】
そして、これら複数のコネクタリード２５を成型用金型内に配置する。この状態で、成型用金型内に合成樹脂を注入する。これにより、コネクタ本体２４に複数のコネクタリード２５が一体に設けられた雌型コネクタ２１が形成される。
【００４９】
この雌型コネクタ２１をフレキシブルな配線基板２０に接続する場合には、予め、配線基板２０に複数の端子２０ａを設ける。このときには、雌型コネクタ２１の複数のコネクタリード２５における各折曲部２７の配置位置に対応する位置に複数の端子２０ａを配線基板２０に設ける。
【００５０】
すなわち、複数の端子２０ａは、雌型コネクタ２１の複数の折曲部２７と同様、複数のコネクタリード２５の配列方向（矢印Ｙ方向）に対して直交する方向（矢印Ｘ方向）における位置が、複数のコネクタリード２５における各折曲部２７の位置に対応するように、矢印Ｙ方向に沿って、全体として千鳥状に配置されているこれにより、配線基板２０に設けられる複数の端子２０ａの配列領域の面積を小さくすることができる。
【００５１】
そして、これら複数の端子２０ａにクリーム半田２８を設け、この状態で配線基板２０に配列された複数の端子２０ａ上に雌型コネクタ２１の複数のコネクタリード２５に設けられた複数の折曲部２７をそれぞれ対応させて配置し、この状態でクリーム半田２８をリフローする。これにより、雌型コネクタ２１の複数のコネクタリード２５に設けられた複数の折曲部２７と配線基板２０の複数の端子２０ａとが半田２８によって接合される。
【００５２】
このように、複数のコネクタリード２５の各他端部２５ｂにそれぞれ設けられた複数の折曲部２７が千鳥状に配列されていることにより、複数のコネクタリード２５における配列方向（矢印Ｙ方向）の間隔Ｓ１が半田２８により短絡することなく接続することができない程度の狭い間隔であっても、複数の折曲部２７及び複数の端子２０ａの相互の間隔を半田２８により短絡することなく接続することができる間隔とすることができて、複数のコネクタリード２９の各折曲部２７と配線基板２０の各端子２０ａとを半田２８によって短絡が発生することなく接合することができる。
【００５３】
これにより、雌型コネクタ２１を従来のものよりもコンパクトに構成することができる。これに伴って、配線基板２０に設けられた複数の端子２０ａの配列領域の面積も小さくすることができるので、配線基板２０もコンパクトに構成することができる。また、このようにして雌型コネクタ２１と配線基板２０とが接合された状態では、折曲部２７の先端部分だけが端子２０ａと半田接合されているため、例えば、配線基板２０に向けてコネクタ本体２４が押されたことによる応力が各折曲部２７に作用したり、配線基板２０とコネクタ本体２４の熱膨張率の違いによる応力が各折曲部２７に作用したりしても、複数のコネクタリード２５の各折曲部２７が湾曲したり、押し広げられる方向に変形したりすることにより、応力を緩和して、半田接合部分にクラックが入ったり、半田接合部分が剥がれたりすることを抑制することができる。
【００５４】
一方、雄型コネクタ２２を製作する場合には、雌型コネクタ２１と同様、コネクタ本体３０に複数のコネクタリード３１を一体に形成する。このときにも、雌型コネクタ２１と同様、複数のコネクタリード３１の各一端部３１ａをコネクタ本体３０の着脱部３２における凹部３２ａ内に２列の凸形状に折り曲げ、複数のコネクタリード３１の各他端部３１ｂをコネクタ本体３０の下面に配列するように折り曲げると共に、これら各他端部３１ｂにそれぞれ折曲部２７を形成する。
【００５５】
このときには、複数のコネクタリード３１の各折曲部２７を、雌型コネクタ２１の各折曲部２７と同様に、複数のコネクタリード３１の配列方向に対して直交する方向における位置を、互いに隣接する４つのコネクタリード３１でそれぞれ異なる位置として、各折曲部２７が、複数のコネクタリード３１の配列方向に沿って、全体として千鳥状に配置されるようにする。
【００５６】
そして、これら複数のコネクタリード３１を成型用金型内に配置して合成樹脂を注入する。これにより、コネクタ本体３０に複数のコネクタリード３１が一体に設けられた雄型コネクタ２２が形成される。この雄型コネクタ２２を回路基板１０に接合する場合には、複数のコネクタリード３１の各他端部３１ｂにそれぞれ設けられた複数の折曲部を回路基板１０に設けられた複数の端子（図示せず）に半田で接合することにより、回路基板１０に搭載される。
【００５７】
この雄型コネクタ２２も、雌型コネクタ２１と同様、コンパクトに構成することができる。これに伴って、回路基板１０に設けられた複数の端子の配列領域の面積も小さくすることができるので、回路基板１０に対する雄型コネクタ２２の実装面積をコンパクトに構成することができる。また、このように雌型コネクタ２１と配線基板２０とが接合された状態では、回路基板１０に向けてコネクタ本体３０が押された際に、複数のコネクタリード３１の各折曲部２７が押し広げられる方向に弾性変形することにより、応力を緩和することができる。
【００５８】
このように雄型コネクタ２２が搭載された回路基板１０に雌型コネクタ２１が搭載されたフレキシブルな配線基板２０を接続する場合には、予め、配線基板２０を表示部２に接続し、この状態で配線基板２０の雌型コネクタ２１の着脱部２６を回路基板１０の雄型コネクタ２２の着脱部３２に装着する。これにより、雌型コネクタ２１と雄型コネクタ２２とが電気的に接続され、回路基板１０と表示部２とがフレキシブルな配線基板２０によって電気的に接続される。
【００５９】
このときには、雌型コネクタ２１のコネクタ本体２４における着脱部２６の外枠部２６ｂと内枠部２６ｃとの間に、雄型コネクタ２２のコネクタ本体３０における着脱部３２の枠状部３２ｂを嵌合させると共に、雌型コネクタ２１の複数のコネクタリード２５の各一端部２５ａと、雄型コネクタ２２の複数のコネクタリード３１各一端部３１ａとを、相互に係合させて導通させる。これにより、雌型コネクタ２１と雄型コネクタ２２とが電気的に接続された状態で相互に装着される。
【００６０】
このように、この電子機器の雌型コネクタ２１によれば、一面である上面に着脱部２６が設けられ、他面である下面が平坦面に形成されたコネクタ本体２４と、一端部２５ａ側がコネクタ本体２４の着脱部２６に配列され、他端部２５ｂ側がコネクタ本体２４の下面に配列され、かつこれら他端部２５ｂに折曲部２７が、それぞれ他端部２５ｂの配列方向に対して直交する方向における位置を相互に異ならせた状態で、ほぼ同じ高さでコネクタ本体２４の下側に突出して設けられた複数のコネクタリード２５と、を備えていることにより、コネクタ本体２４の面積で実装することが可能で、かつその面積の小型化を図ることができる。
【００６１】
すなわち、この電子機器の雌型コネクタ２１では、複数のコネクタリード２５の各他端部２５ｂにそれぞれ設けられた各折曲部２７によって、コネクタ本体２４の面積で実装することができると共に、コネクタ本体２４に配列される複数のコネクタリード２５の配列間隔Ｓ１を半田により短絡することなく接続することができない狭い間隔にしていながら、互いに隣接する折曲部２７同士の間隔を半田により短絡することなく接続することができる間隔にすることができる。これにより雌型コネクタ２１全体をコンパクトに構成することができて、雌型コネクタ２１の小型化を図ることができる。
【００６２】
すなわち、複数のコネクタリード２５の各折曲部２７は、複数のコネクタリード２５の配列方向に沿った方向に沿って、全体として千鳥状に配列されていることにより、複数のコネクタリード２５の配列方向における複数の折曲部２７の間隔Ｓ２が複数のコネクタリード２５の間隔Ｓ１と同じ間隔であっても、複数のコネクタリード２５の配列方向に対して直交する方向における各折曲部２７の間隔Ｓ３を複数のコネクタリード２５の間隔Ｓ１よりも広くすることができる。
【００６３】
このため、複数のコネクタリード２５の各折曲部２７を、複数のコネクタリード２５の配列方向（矢印Ｙ方向）に対して直交する方向（矢印Ｘ方向）における位置を、互いに隣接する４つのコネクタリード２５で互いに異なった位置として、全体として千鳥状に配列させることができる。
【００６４】
これにより、複数のコネクタリード２５の各折曲部２７は、複数のコネクタリード２５の配列方向の間隔Ｓ１を半田により短絡することなく接続することができない狭い間隔で形成しても、複数のコネクタリード２５の配列方向に対して直交する方向における複数の折曲部２７の間隔Ｓ３を複数のコネクタリード２５の間隔Ｓ１よりも広くして、半田により短絡することなく接続することができる間隔とすることができる。
【００６５】
この場合、複数のコネクタリード２５の配列方向に対して直交する方向における複数の折曲部２７の間隔Ｓ３を複数のコネクタリード２５の配列方向の間隔Ｓ１よりも広く、半田により短絡することなく接続することができる間隔で形成しても、複数の折曲部２７を全体として千鳥状に配列させた構成であるから、複数の折曲部２７の配列領域の面積を小さくすることができ、これによりコネクタ本体２４をコンパクトに構成することができ、これに伴って雌型コネクタ２１全体の小型化を図ることができる。
【００６６】
また、この雌型コネクタ２１では、これが接続される配線基板２０の複数の端子２０ａを、コネクタ本体２４に設けられた複数のコネクタリード２５の各折曲部２７と同じ配列で設けることにより、複数の端子２０ａが多数、例えば４０個存在していていても、複数の端子２０ａを配線基板２０上にコンパクトに配列することができ、これにより複数の端子２０ａの配列領域である配列面積を小さくすることができるので、配線基板２０をコンパクトに構成することができる。
【００６７】
この場合、複数のコネクタリード２５の各折曲部２７それぞれは、同じ大きさの山形状に形成されていることにより、複数の折曲部２７を山形状に形成しても、複数の折曲部２７の突出した各先端部を同一平面状に配置させることができ、これにより複数の折曲部２７の突出した各先端部を配線基板２０の各端子２０ａに半田２８によって短絡することなく確実に接合することができる。
【００６８】
また、折曲部２７の先端部分だけが配線基板２０に半田接合されているため、配線基板２０に半田接合された雌型コネクタ２１は、例えば、配線基板２０に向けてコネクタ本体２４が押されることによる応力が各折曲部２７に作用したり、配線基板２０とコネクタ本体２４の熱膨張率の違いによる応力が各折曲部２７に作用したりしても、複数のコネクタリード２５の各折曲部２７が湾曲したり、押し広げられる方向（矢印Ｘ方向）に変形したりすることができるので、応力を確実にかつ良好に緩和して、半田接合部分にクラックが入ったり、半田接合部分が剥がれたりすることを抑制することができる。
【００６９】
また、この電子機器の雄型コネクタ２２は、コネクタ本体３０の着脱部３２と複数のコネクタリード３１の一端部３１ａ側とが雌型コネクタ２１と異なる構成であり、これ以外は雌型コネクタ２１とほぼ同じ構成であるから、雌型コネクタ２１と同様の作用効果あるほか、雌型コネクタ２１の着脱部２６に対して雄型コネクタ２２の着脱部３２を着脱可能に装着させることにより、雄型コネクタ２２と雌型コネクタ２１とを簡単にかつ容易に電気的に接続することができる。
【００７０】
すなわち、雄型コネクタ２２は、着脱部３２の枠状部３２ｂを雌型コネクタ２１の着脱部２６における外枠部２６ｂと内枠部２６ｃとの間に嵌合させることにより、雄型コネクタ２２の複数のコネクタリード３１における各一端部３１ａと、雌型コネクタ２１の複数のコネクタリード２５における各一端部２５ａとを、相互に係合させて導通させることができ、これにより雄型コネクタ２２を雌型コネクタ２１に電気的に接続させた状態で確実にかつ良好に装着することができる。
【００７１】
さらに、この電子機器は、雌型コネクタ２１が表示部２に接続された配線基板２０に実装されていることにより、配線基板２０もコンパクトに構成することができる。すなわち、雌型コネクタ２１は、従来のものよりもコンパクトに構成することができるので、これに伴って配線基板２０をコンパクトに構成することができる。
【００７２】
また、この電子機器は、雄型コネクタ２２が回路基板１０に実装されていることにより、回路基板１０に対する雄型コネクタ２２の実装面積を小さくすることができる。すなわち、雄型コネクタ２２も、雌型コネクタ２１と同様、従来のものよりもコンパクトに構成することができるので、これに伴って回路基板１０に対する雄型コネクタ２２の実装面積を小さくすることができる。
【００７３】
さらに、この電子機器は、表示部２に接続された配線基板２０に実装された雌型コネクタ２１と、回路基板１０に実装された雄型コネクタ２２とを、接合することにより、表示部２と回路基板１０とを配線基板２０によってコンパクトな状態で確実にかつ良好に接続することができる。
【００７４】
なお、上述した実施形態では、雌型コネクタ２１の複数のコネクタリード２５の他端部２５ｂにそれぞれ設けられた複数の折曲部２７、および雄型コネクタ２２の複数のコネクタリード３１の他端部３１ｂにそれぞれ設けられた複数の折曲部２７を山形状に折り曲げた場合について述べたが、折曲部の形状はこれに限るものではない。例えば半円弧状に折り曲げても良く、また台形状、四角形状に折り曲げても良く、さらにＺ字形状に折り曲げた構成であっても良い。
【００７５】
また、上述した実施形態では、雌型コネクタ２１の複数のコネクタリード２５の他端部２５ｂ側にそれぞれ設けられた複数の折曲部２７を配線基板２０の複数の端子２０ａに半田２８で接合しただけの構成である場合について述べたが、これに限らず、複数の折曲部２７を配線基板２０の複数の端子２０ａに半田２８で接合した状態で、コネクタ本体２４を配線基板２０上に樹脂で封止した構成であっても良い。この場合には、雌型コネクタ２１を配線基板２０に強固に取り付けることができる。
【００７６】
さらに、上述した実施形態では、雄型コネクタ２２の複数のコネクタリード３１の他端部３１ｂ側にそれぞれ設けられた複数の折曲部２７を回路基板１０の複数の端子（図示せず）に半田２８で接合しただけの構成である場合について述べたが、これに限らず、複数の折曲部を回路基板１０の複数の端子に半田２８で接合した状態で、コネクタ本体３０を回路基板１０上に樹脂で封止した構成であっても良い。この場合にも、雄型コネクタ２２を回路基板１０に強固に取り付けることができる。
【００７７】
また、上述した実施形態では、複数のコネクタリード２５、３１の各折曲部２７が、複数のコネクタリード２５、３１の配列方向に対して直交する方向における位置を、互いに隣接する４つのコネクタリード２５、３１でそれぞれ異ならせて、各折曲部２７が全体として千鳥状に配列される場合について述べたが、折曲部２７の配列状態はこれに限るものではない。
【００７８】
例えば、複数のコネクタリードの各折曲部は、複数のコネクタリードの配列方向に対して直交する方向における位置を、互いに隣接する３つのコネクタリードでそれぞれ異ならせて、各折曲部が全体として千鳥状に配列されるものであってもよい。
【００７９】
また、これに限らず、例えば、複数のコネクタリードの各折曲部は、複数のコネクタリードの配列方向に対して直交する方向における位置を、互いに隣接する２つのコネクタリードでそれぞれ異ならせて、各折曲部が全体として千鳥状に配列されるものであってもよい。
【００８０】
また、上述した実施形態では、雌型コネクタ２１を配線基板２０に設け、雄型コネクタ２２を回路基板１０に設けた場合について述べたが、これに限らず、雌型コネクタ２１を回路基板１０に設け、雄型コネクタ２２を配線基板２０に設けた構成であっても良い。
【００８１】
また、上述した実施形態では、回路基板１０と表示部２とを配線基板２０で接続する場合について述べたが、これに限らず、例えば回路基板１０と入力操作部３の押釦スイッチ３ａとの接続、回路基板１０と入力操作部３のタッチパネル３ｂとの接続、回路基板１０と出力部４のスピーカ・ブザー１４との接続、回路基板１０とＧＰＳ部９のＧＰＳ受信回路１５との接続、および回路基板１０とセンサ部８のセンサ回路１６との接続などにも適用することができる。
【００８２】
さらに、上述した実施形態では、腕時計型の電子機器に適用した場合について述べたが、これに限らず、例えば図９に示すように、電話機能を有する携帯情報端末機などの電子機器にも適用することができる。この電子機器は、上述した実施形態と同様、機器ケース４０が表示部２、入力操作部３、出力部４、および回路基板１０を備えた構成であれば良い。
【００８３】
この場合にも、電子機器は、上述した実施形態と同様、回路基板１０に表示部２を配線基板２０で接続する際に、配線基板２０に雌型コネクタ２１と雄型コネクタ２２の一方を設け、回路基板１０に雌型コネクタ２１と雄型コネクタ２２の他方を設けた構成であれば良い。
【００８４】
また、上述した実施形態およびその変形例では、腕時計型の電子機器および電話機能を有する携帯情報端末機などの電子機器に適用した場合について述べたが、これらに限らず、例えばタブレット端末などの電子機器にも適用することができる。
【００８５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８６】
（付記）
請求項１に記載の発明は、一端部側がコネクタ本体の一面に配列され、他端部側が前記コネクタ本体の他面に配列された複数のコネクタリードと、を備え、前記複数のコネクタリードの各々は、前記他端部に、一部が前記コネクタ本体の前記他面から離間して突出する形状に折り曲げられて一部が配線基板の端子に接続される折曲部を有していることを特徴とするコネクタである。
【００８７】
請求項２に記載の発明は、請求項１に記載のコネクタにおいて、前記折曲部は、１つの頂点を有する山形、半円弧形、台形、四角形及びＺ字形の何れかの形状に形成されていることを特徴とするコネクタである。
【００８８】
請求項３に記載の発明は、請求項１または請求項２に記載のコネクタにおいて、前記複数のコネクタリードは、前記コネクタ本体の前記他面に、第１方向に沿って並べて配列され、前記複数のコネクタリードにおける複数の前記折曲部は、前記コネクタ本体の前記他面上において、前記第１方向に沿って千鳥状に配置されていることを特徴とするコネクタである。
【００８９】
請求項４に記載の発明は、請求項３に記載のコネクタにおいて、互いに隣接する２つの前記コネクタリードの前記他端部側の長さは互いに異なっていることを特徴とするコネクタである。
【００９０】
請求項５に記載の発明は、請求項３又は４に記載のコネクタにおいて、前記複数のコネクタリードの前記第１方向の間隔は、半田によって短絡することなく接合することができない値に設定され、前記複数の折曲部の相互の間隔は、半田によって短絡することなく接合することができる値に設定されていることを特徴とするコネクタである。
【００９１】
請求項６に記載の発明は、請求項１〜請求項５のいずれかに記載されたコネクタを備えていることを特徴とする電子機器である。
【００９２】
請求項７に記載の発明は、請求項６に記載の電子機器において、前記コネクタとして、前記コネクタ本体の前記一面に前記複数のコネクタリードが配列された雌型コネクタを有し、前記他面に複数の前記折曲部を有する第１コネクタと、前記コネクタ本体の前記一面に前記複数のコネクタリードが配列された雄型コネクタを有し、前記他面に複数の前記折曲部を有する第２コネクタと、を有し、前記第１コネクタの前記複数の折曲部が接続された第１配線基板と、前記第２コネクタの前記複数の折曲部が接続された第２配線基板と、を有し、前記第１コネクタの前記雌型コネクタと前記第２コネクタの前記雄型コネクタとが嵌合して、前記第１配線基板と前記第２配線基板とが電気的に接続されていることを特徴とする電子機器である。
【符号の説明】
【００９３】
１、４０  機器ケース
２  表示部
３  入力操作部
４  出力部
１０  回路基板
２０  配線基板
２０ａ  端子
２１  雌型コネクタ
２２  雄型コネクタ
２４、３０  コネクタ本体
２５、３１  コネクタリード
２５ａ、３１ａ  一端部
２５ｂ、３１ｂ  他端部
２６、３２  着脱部
２７  折曲部
２８  半田
Ｓ１〜Ｓ５  間隔
【図１】
2016178001.tif 000003
【図２】
2016178001.tif 000004
【図３】
2016178001.tif 000005
【図４】
2016178001.tif 000006
【図５】
2016178001.tif 000007
【図６】
2016178001.tif 000008
【図７】
2016178001.tif 000009
【図８】
2016178001.tif 000010
【図９】
2016178001.tif 000011